(57)【要約】【課題】金型数の削減が可能で、施工が容易になると共に、表示体を確実に取り付けることができる操作体および配線器具を提供する。【解決手段】表示部を有する表示体２０と；表示体を所定の位置に保持する位置ずれ防止手段３１ａを設けた表示体保持部材３０と；表示体保持部材が表示体の表示部と正対する方向または側方から取り付けられると共に、前記表示体保持部材を取外し可能に支持する支持部４０ａを設けた操作体本体４０と；を具備する操作体１０および配線器具１を構成する。【選択図】        図３
2008235077.tif 000002
【特許請求の範囲】
【請求項１】
表示部を有する表示体と；
表示体を所定の位置に保持する位置ずれ防止手段を設けた表示体保持部材と；
表示体保持部材が表示体の表示部と正対する方向または側方から取り付けられると共に、前記表示体保持部材を取外し可能に支持する支持部を設けた操作体本体と；
を具備することを特徴とする操作体。
【請求項２】
前記表示体保持部材は、位置ずれ防止手段を設けた保持部材と、表示体を透過して表示する表示部を設けたカバー部材とで構成し、位置ずれ防止手段により位置決めされた表示体を、保持部材とカバー部材で挟持して支持するようにしたことを特徴とする請求項１記載の操作体。
【請求項３】
前記表示体保持部材は、位置ずれ防止手段により位置決めされた表示体を、操作体本体との間で挟持して支持すると共に、表示体保持部材または操作体本体の少なくとも一方に表示体の抜け止め用のストッパーを設けたことを特徴とする請求項１記載の操作体。
【請求項４】
前記表示体保持部材の位置ずれ防止手段は、前記表示体保持部材と別体で設けられており、この位置ずれ防止手段により位置決めされた表示体を、操作体本体との間で挟持して支持するようにしたことを特徴とする請求項１記載の操作体。
【請求項５】
前記表示体保持部材は、操作体本体と略同形状に構成したことを特徴とする請求項１ないし４いずれか一記載の操作体。
【請求項６】
押圧操作により配線回路をオン・オフするスイッチ本体と；
スイッチ本体に取り付けられ、このスイッチ本体を押圧操作する請求項１ないし５いずれか一記載の操作体と；
を具備することを特徴とする配線器具。
【発明の詳細な説明】
【技術分野】
【０００１】
本発明は、例えば、照明の箇所を知らせるための表示体を備えた操作体および操作体を用いた配線器具に関する。
【背景技術】
【０００２】
従来、この種の操作体および配線器具は、例えば、下記の特許文献１および特許文献２に示されるように、どの部屋の照明をオン・オフするためのスイッチであるかが分かるように、例えば、「居間」「廊下」「ＴＯＩＬＥＴ」「洗面所」などと記載したネームカードが操作体に取り付けられている。
【０００３】
特許文献１に示されるものは、ネームカードを操作体本体と透明な樹脂で構成された表示体押えカバーとの間に挟み込み、どの部屋のスイッチであるかを表示すると共に、表示体押えカバーを操作体本体から取り外してネームカードの交換作業を簡単に行えるようにしたものである。
【０００４】
特許文献２に示されるものは、ネームカードをピアノハンドル（操作体）と透明なネームカバーとの間に配置して表示し、ピアノハンドルの裏側に設けられた扉を開閉して、ネームカードの交換作業を行えるようにしたものである。
【特許文献１】特開２００３−１４１９６６公報
【特許文献２】特開平１０−３２６５３９号公報
【発明の開示】
【発明が解決しようとする課題】
【０００５】
しかしながら、特許文献１に示される操作体および配線器具は、ネームカードの位置ずれ、特に垂直な壁面等に設置した際にカードの落下を防ぐために操作体本体側に位置決め用の溝を形成している。
【０００６】
一方、この種配線器具においては、ネームカードなしの機種も用意しており、上記のように、操作体側にネームカード専用の位置決め溝を形成することは、操作体自体をネームなしの機種と共通の部品にすることができない。このため、金型を共通化することができず、各用途に応じた専用の金型が必要となりコストアップの要因になる。
【０００７】
また、特許文献２に示された操作体および配線器具は、ピアノハンドルの裏側に、ネームカードの交換用の扉を設けるなど、ネーム付器具専用の複雑な構造を有している。
【０００８】
このため、特許文献１と同様に、ネームカードなしの機種との金型の共通化ができない。また、ネームカードの交換はピアノハンドルを取り外さなければできない。
【０００９】
この種、配線器具の操作体においては、各種用途や施工に対応するため、ネームカードの有無のみでなく、スイッチの個数、例えば、１個、２個、３個に対応したＬ．Ｍ．Ｓ各サイズを用意する等、各機種に合わせた多くの専用金型を構成しなければならず、金型数の削減は重要な課題となっている。
【００１０】
本発明は、上述した問題、課題を解決することを目的とし、金型数の削減が可能で、施工が容易になると共に、表示体を確実に取り付けることができる操作体および配線器具を提供しようとするものである。
【課題を解決するための手段】
【００１１】
上記目的を達成するために、請求項１に記載の操作体の発明は、表示部を有する表示体と；表示体を所定の位置に保持する位置ずれ防止手段を設けた表示体保持部材と；表示体保持部材が表示体の表示部と正対する方向または側方から取り付けられると共に、前記表示体保持部材を取外し可能に支持する支持部を設けた操作体本体と；を具備することを特徴とする。
【００１２】
本発明によれば、表示体を所定の位置に保持する位置ずれ防止手段を設けた表示体保持部材により、操作体本体は表示体無しの機種と金型を共通化することができ、金型数の削減が可能となる。
【００１３】
また、位置ずれ防止手段により、表示体の位置ずれや落下を防止することができ、施工が容易になる。
【００１４】
本発明において、表示体は、例えば、屋内における、どの部屋の照明をオン・オフするためのスイッチであるかが分かるように、「居間」「廊下」「ＴＯＩＬＥＴ」「洗面所」、さらには屋外における「門灯」「ガレージ」などの文字を記載したネームカード、「スポットライト」「シャンデリア」「ダウンライト」等、照明器具の種類の文字を併記または単独で表示したものでもよい。さらに、照明に限らず「換気扇」等の器具を表示するようにしてもよい。また、表示する形態は文字に限らず「絵」や「記号」等で表示してもよい。
【００１５】
表示体を所定の位置に保持する位置ずれ防止手段は、表示体保持部材に凹部や溝を形成し、表示体を嵌合または係止して位置ずれを防止し、さらには表示体の裏面を粘着面となして落下しないように構成してもよい。
【００１６】
操作体本体の表示体保持部材を取外し可能に支持する手段は、操作体本体と表示体保持部材とが２部材に完全に分離し、かつ元に戻せるように取外しが可能となるようにしてもよい。
【００１７】
また、取外し可能の状態は、完全に分離することなく操作体本体に対して表示体保持部材が浮き上がり表示体を取り付けるための隙間を形成する程度に分離し、かつ元の状態に戻せる構成でも、さらには軸支した点を中心に回動させて、表示体を取り付けるためのスペースを確保し、かつ元の状態に回動させて戻せる構成であってもよく、要は表示体を取り付けるために外せて、かつ元の状態に戻せる全ての取外し可能な手段が許容される。
【００１８】
請求項２に記載の発明は、請求項１記載の操作体において、前記表示体保持部材は、位置ずれ防止手段を設けた保持部材と、表示体を透過して表示する表示部を設けたカバー部材とで構成し、位置ずれ防止手段により位置決めされた表示体を、保持部材とカバー部材で挟持して支持するようにしたことを特徴とする。
【００１９】
本発明において、表示体保持部材を構成する保持部材と、カバー部材とは、別ピースで構成し、両者を合わせることにより、表示体を保持部材とカバー部材で挟持して支持するようにしてもよい。
【００２０】
さらに、柔軟性を有するポリエチレン等のプラスチックで一体に構成し、両者を折りたたむことにより、表示体を保持部材とカバー部材で挟持して支持するようにしてもよい。
【００２１】
表示体を透過して表示する表示部は、表示体保持部材全体を透明または半透明の部材で構成しても、表示体に対応する部分のみを透明または半透明の部材で構成しても、若しくは、表示体に対応する部分のみをくり抜いた窓孔で構成し、他の部分を半透明または不透明で構成してもよい。
【００２２】
請求項３に記載の発明は、請求項１記載の操作体において、前記表示体保持部材は、位置ずれ防止手段により位置決めされた表示体を、操作体本体との間で挟持して支持すると共に、表示体保持部材または操作体本体の少なくとも一方に表示体の抜け止め用のストッパーを設けたことを特徴とする。
【００２３】
請求項４に記載の発明は、請求項１記載の操作体において、前記表示体保持部材の位置ずれ防止手段は、前記表示体保持部材と別体で設けられており、この位置ずれ防止手段により位置決めされた表示体を、操作体本体との間で挟持して支持するようにしたことを特徴とする。
【００２４】
請求項５に記載の発明は、請求項１ないし４いずれか一記載の操作体において、前記表示体保持部材は、操作体本体と略同形状に構成したことを特徴とする。
【００２５】
請求項６に記載の配線器具の発明は、押圧操作により配線回路をオン・オフするスイッチ本体と；スイッチ本体に取り付けられ、このスイッチ本体を押圧操作する請求項１ないし５いずれか一記載の操作体と；を具備することを特徴とする。
【００２６】
本発明において、スイッチ本体は、シーソー式でオン・オフする形式でも、プッシュ式でオン・オフするスイッチでもよく、オン・オフする機能・形式は限定されない。
【発明の効果】
【００２７】
請求項１の発明によれば、表示体を所定の位置に保持する位置ずれ防止手段を設けた表示体保持部材により、操作体本体は表示体無しの機種と金型を共通化することができ、金型数の削減が可能な操作体を提供することができる。
【００２８】
また、位置ずれ防止手段により、表示体の位置ずれや落下を防止することができ、施工が容易になると共に、表示体を確実に取り付けることができる。
【００２９】
請求項２の発明によれば、表示体保持部材は、位置ずれ防止手段を設けた保持部材と、表示体を透過して表示する表示部を設けたカバー部材とで構成し、表示体は表示体保持部材のみで支持することができ、操作体本体には表示体を支持するための構成を施す必要がなく、操作体は表示体無しの機種と金型を共通化することができ、金型数の削減が可能な操作体を提供することができる。
【００３０】
また、位置ずれ防止手段により位置決めされた表示体を、保持部材とカバー部材で挟持して支持するようにしたので、表示体を単に挟む簡単な構成で、かつ表示体が位置ずれしたり落下することなく施工が容易となると共に、表示体を確実に取り付けることができる。
【００３１】
請求項３の発明によれば、表示体保持部材は、位置ずれ防止手段により位置決めされた表示体を、操作体本体との間で挟持して支持するようにしたので、操作体本体には表示体を支持するための格別の構成を施す必要がなく、操作体は表示体無しの機種と金型を共通化することができ、金型数の削減が可能な操作体を提供することができる。
【００３２】
また、表示体を操作体本体との間で単に挟む簡単な構成で、かつ表示体が位置ずれしたり落下することなく施工が容易となると共に、表示体を確実に取り付けることができる。
【００３３】
さらに、表示体保持部材または操作体本体の少なくとも一方に表示体の抜け止め用のストッパーを設けたので、表示体をより一層確実に取り付けることができる。
【００３４】
請求項４の発明によれば、表示体保持部材の位置ずれ防止手段は、前記表示体保持部材と別体で設けたので、操作体本体には表示体を支持するための格別の構成を施す必要がなく、操作体は表示体無しの機種と金型を共通化することができ、金型数の削減が可能な操作体を提供することができる。
【００３５】
また、表示体を操作体本体との間で単に挟む簡単な構成で、かつ表示体が位置ずれしたり落下することなく施工が容易となると共に、表示体を確実に取り付けることができる。
【００３６】
請求項５の発明によれば、表示体保持部材は、操作体本体と略同形状に構成したので、操作体本体の表面が表示体保持部材によって覆われワイドで縦長矩形状をなす外観意匠的に操作面がすっきりした操作のし易い操作体を提供することができる。
【００３７】
請求項６の発明によれば、金型数の削減が可能で、施工が容易になると共に、表示体を確実に取り付けることができる配線器具が提供される。
【発明を実施するための最良の形態】
【００３８】
以下、本発明の操作体および配線器具の実施形態につき説明する。
【実施例１】
【００３９】
本実施例は、ワイドな操作体を用いて配線器具を構成した実施形態であり、その構成を図１〜図４に従い説明する。
【００４０】
１は、本発明の配線器具で、押圧操作により配線回路をオン・オフするスイッチ本体２、スイッチ本体が取り付けられる金属製の取付ユニット３、取付ユニットの周囲を囲むように取り付けられたプラスチック製の枠状をなす化粧プレート４、化粧プレートの開口部４ａに配置され、スイッチ本体に着脱自在に取り付けられると共にスイッチ本体を押圧操作する操作体１０で構成する。
【００４１】
操作体１０は、表示体２０、表示体を保持する表示体保持部材３０、表示体保持部材を支持する操作体本体４０で構成する。
【００４２】
表示体２０は、どの部屋の照明をオン・オフするためのスイッチであるかが分かるように、「居間」「廊下」「ＴＯＩＬＥＴ」「洗面所」などの文字からなる表示部を記載した短冊状の小片からなるネームカードで、上述した各文字が印刷された紙から所定の文字、本実施例では「居間」の文字を切り抜いて構成する。表示体２０は、所定の規格寸法に構成されている。
【００４３】
表示体２０を保持する表示体保持部材３０は、透明で柔軟性を有するポリエチレンで構成され、表示体を所定の位置に保持する保持部材３１と、表示体を透過して表示するカバー部材３２を、ヒンジ部３３で連結して一体に形成する。
【００４４】
保持部材３１は、平板状をなし平板の一端側に凹部３１ａを一体に形成する。
【００４５】
凹部３１ａは、短冊状の小片をなす表示体２０を嵌め込んで保持する矩形状の形状と深さ寸法を有し、表示体の位置ずれ防止手段を構成する。
【００４６】
カバー部材３２は、保持部材３１と略同形状の平板状をなし、保持部材の凹部３１ａに対向した位置に表示体を透過して表示する表示部３２ａを一体に形成する。
【００４７】
表示部３２ａは、その周囲に凹部３１ａ内に嵌め込み可能な矩形状の形状と高さ寸法を有する枠状の突条３２ｂを一体に形成する。
【００４８】
カバー部材３２は、端部を略直角にＬ字形をなすように係止部３２ｃを一体に形成し、係止部の端部に２本の係止片３２ｄ、３２ｄを、さらに係止片の先端に鍵状をなす係止部３２ｅ、３２ｅをそれぞれ一体に形成する。
【００４９】
ヒンジ部３３は、保持部材３１の端部とカバー部材３２の端部を連結する２本の連結部からなり、連結部の中心線上にヒンジの中心軸となる肉薄部３３ａを形成する。
【００５０】
なお、保持部材３１とカバー部材３２は、凹部３１ａと表示部３２ａが、ヒンジ部３３を挟み直線上に対向して位置するようにして連結する。
【００５１】
上記に構成した表示体保持部材３０は、次にようにして組み立てられる。
【００５２】
すなわち、図３（ａ）に示すように、まず保持部材３１の凹部３１ａ内に短冊状の小片をなす表示体２０を嵌め込んで保持する。
【００５３】
次に、図３（ｂ）に示すように、保持部材３１とカバー部材３２を、ヒンジ部３３の肉薄部３３ａを起点として内側に折りたたむ。
【００５４】
さらに、カバー部材３２の表示部３２ａに形成した枠状の突条３２ｂを、保持部材３１の凹部３１ａ内に嵌め込み、突条３２ｂの先端で凹部に嵌め込まれた表示部の表面を押え付けて凹部内に確実に支持する。
【００５５】
この状態で、表示体保持部材３０は、一端部にヒンジ部３３の連結部が重なった状態の２本の係止突部３０ａ、３０ａが形成され、Ｌ字に形成された他端部に２本の係止片３２ｄ、３２ｄが突出して形成される。
【００５６】
次に、上記に構成した表示体保持部材３０を取外し可能に支持する操作体本体４０の構成を説明する。
【００５７】
操作体本体４０は、図３（ｃ）に示すように、電気絶縁性および耐熱性を有するＡＢＳ樹脂等のプラスチックで構成され、上述した配線器具を構成する枠状をなす化粧プレートの開口部４ａに、枠内一杯に配置されるワイドで縦長矩形状をなす大きさに形成する。
【００５８】
操作体本体４０は、その表面側の略中間部分に位置して一端が開放した凹部４０ａを一体に形成する。
【００５９】
凹部４０ａは、上記表示体保持部材３０を取外し可能に支持し、収納するための支持部となるもので、凹部の大きさ・深さ寸法は、図３（ｂ）（ｃ）に示すように、保持部材３１とカバー部材３２を、ヒンジ部３３の肉薄部３３ａを起点として内側に折りたたんだ状態の表示体保持部材３０を、表示体２０の表示部と正対する方向にして嵌め込まれる寸法に構成し、収納した状態で操作体本体４０の表面と表示体保持部材３０の表面とが面一になるようにする。
【００６０】
凹部４０ａは、その側壁に２個の係止孔４０ｂ、４０ｂを、一端の開放した部分に２個の係止孔４０ｃ、４０ｃをそれぞれ貫通して形成する。
【００６１】
２個の係止孔４０ｂ、４０ｂには、表示体保持部材３０におけるヒンジ部の連結部が重なった状態の２本の係止突部３０ａ、３０ａが挿入される。
【００６２】
また２個の係止孔４０ｃ、４０ｃには、２本の係止片３２ｄ、３２ｄが挿入され、先端の鍵状をなす係止部３２ｅ、３２ｅが係合される。（図３（ｄ））
なお、２個の係止孔４０ｃ、４０ｃと２本の係止片３２ｄ、３２ｄおよび鍵状をなす係止部３２ｅ、３２ｅを省略し、２個の係止孔４０ｂ、４０ｂに、ヒンジ部の連結部が重なった状態の２本の係止突部３０ａ、３０ａを側方から挿入する手段のみで支持するようにしてもよい。
【００６３】
操作体本体４０は、図２に示すように、裏面側の略中央部分に係止凸部４０ｅを一体に形成し、係止凸部をスイッチ本体２の係止凹部２ａに係合させることにより、操作体１０がスイッチ本体２に対して着脱自在に取り付けられる。
【００６４】
図中４０ｄは、操作体本体４０の凹部の４０ａの部分を除いて貼付された略コ字状の形状をなした透明な保護シートである。
【００６５】
次に、上記に構成した操作体本体４０に、表示体保持部材３０を組み込んで、操作体１０を構成するための手順につき説明する。
【００６６】
まず、図３（ｂ）に示す状態、すなわち保持部材３１とカバー部材３２を折りたたんだ状態の表示体保持部材３０を、表示体２０の表示部と正対する方向にして、操作体本体４０の凹部４０ａに嵌め込みながら２本の係止突部３０ａ、３０ａを凹部の２個の係止孔４０ｂ、４０ｂにそれぞれ挿入する。
【００６７】
次に、表示体保持部材３０の２本の係止片３２ｄ、３２ｄを、凹部４０ａの一端の開放した部分に合致させて２個の係止孔４０ｃ、４０ｃにそれぞれ挿入し、先端の鍵状をなす係止部３２ｅ、３２ｅを係止孔４０ｃ、４０ｃの裏面側に係合させる。これにより、表示体付の操作体１０が構成される。（図４（ａ））
なお、表示体保持部材３０を取り外す場合には、ポリエチレンの柔軟性を利用して撓ませ、先端の鍵状をなす係止部３２ｅ、３２ｅと係止孔４０ｃ、４０ｃの裏面側との係合を解除する。
【００６８】
上記により組み立てられた操作体１０は、図２に示すように操作体本体４０の裏面側に形成された係止凸部４０ｅをスイッチ本体２の係止凹部２ａに係合させることにより、表示体付の配線器具１が構成される。
【００６９】
また、本発明の操作体本体４０は、従来のように表示体の位置ずれ防止のための溝など、表示体を設置するための格別な構成を有していない。
【００７０】
このため、操作体本体４０は、表示体無しの操作体本体としても使用することができ、同一の金型で構成可能な共通の部品となすことができ、同時に表示体無しの操作体１０´も構成することができる。
【００７１】
すなわち、図３（ｅ）に示すように、３０´は表示体無しの操作体を構成するための蓋体で、上記表示体保持部材３０と同一の形状・材質で構成されている。
【００７２】
蓋体３０´は、２ピースの折りたたみにより構成することなく、一体物で表示体保持部材３０と同一の形状に構成し、平板の一端部に２本の係止突部３０ａ´、３０ａ´を一体に形成し、さらにＬ字に形成された他端部に２本の係止片３２ｄ´、３２ｄ´および係止部３２ｅ´、３２ｅ´をそれぞれ一体に突出して形成する。
【００７３】
上記構成の蓋体３０´を、操作体本体４０の凹部４０ａに嵌め込みながら２本の係止突部３０ａ´、３０ａ´を凹部の２個の係止孔４０ｂ、４０ｂにそれぞれ挿入する。
【００７４】
次に、蓋体３０´の２本の係止片３２ｄ´、３２ｄ´を、凹部４０ａの一端の開放した部分に合致させて２個の係止孔４０ｃ、４０ｃに挿入し、先端の鍵状をなす係止部３２ｅ´、３２ｅ´を係止孔４０ｃ、４０ｃの裏面側に係合させる。これにより、表示体無しの操作体１０´が構成される。（図４（ｂ））
なお、蓋体３０´を取り外す場合には、上記同様にポリエチレンの柔軟性を利用して撓ませ、先端の鍵状をなす係止部３２ｅ´、３２ｅ´と係止孔４０ｃ、４０ｃの裏面側との係合を解除させる。
【００７５】
なお、蓋体３０´においても２個の係止孔４０ｃ、４０ｃと２本の係止片３２ｄ´、３２ｄ´および鍵状をなす係止部３２ｅ´、３２ｅ´を省略し、２個の係止孔４０ｂ、４０ｂに、２本の係止突部３０ａ´、３０ａ´を側方から挿入する手段のみで支持するようにしてもよい。
【００７６】
上記により組み立てられた操作体１０´は、操作体本体４０の裏面側に形成された係止凸部４０ｅをスイッチ本体２の係止凹部２ａに係合させることにより、表示体無しの配線器具が構成される。
【００７７】
次に、上記に構成された表示体付の配線器具および表示体無しの配線器具の建築現場等での施工方法につき説明する。
【００７８】
まず、各部屋の照明用のスイッチが集中して設置されているような場合に、各スイッチがどの部屋のスイッチかを知らせるため、表示体付の配線器具を使用する。
【００７９】
まず、表示体付の配線器具を用意し、予めスイッチ本体２に組み込まれた操作体１０を外す。
【００８０】
次に、スイッチ本体２に配線コードを接続して金属製の取付ユニット３に取り付け、取付ユニット３を配線ボックスに固定し、さらに化粧プレート４を取付ユニット３に取り付ける。
【００８１】
次に、操作体１０に組み込まれた表示体保持部材３０を、ポリエチレンの柔軟性を利用して撓ませ、先端の鍵状をなす係止部３２ｅ、３２ｅと係止孔４０ｃ、４０ｃの裏面側との係合を解除し、操作体本体４０の凹部４０ａから表示体保持部材３０を外す。
【００８２】
この際、保護シート４０ｄは、操作体本体４０の凹部の４０ａの部分を除いた略コ字状をなす形状に貼付されているので、保護シートを剥がす必要はない。
【００８３】
次に、図３（ａ）に示すように、保持部材３１の凹部３１ａ内に該当の部屋、例えば「居間」の文字が記載された短冊状の小片をなす表示体２０を嵌め込んで保持する。
【００８４】
次に、図３（ｂ）に示すように、保持部材３１とカバー部材３２を、ヒンジ部３３の肉薄部３３ａを起点として内側に折りたたむ。
【００８５】
この作業は、表示体２０が凹部３１ａ内に収納されて位置ずれすることなく保持され、表示体保持部材３０を如何なる方向に向けても凹部内から位置ずれしたり落下するようなことはなく、表示体のずれを気にすることなく行える。
【００８６】
次に、図３（ｂ）に示す状態、すなわち保持部材３１とカバー部材３２を折りたたんだ状態の表示体保持部材３０を、表示体２０の表示部と正対する方向にして、操作体本体４０の凹部４０ａに嵌め込みながら２本の係止突部３０ａ、３０ａを凹部の２個の係止孔４０ｂ、４０ｂにそれぞれ挿入する。
【００８７】
次に、表示体保持部材３０の２本の係止片３２ｄ、３２ｄを、凹部４０ａの一端の開放した部分に合致させて２個の係止孔４０ｃ、４０ｃに挿入し、先端の鍵状をなす係止部３２ｅ、３２ｅを係止孔４０ｃ、４０ｃの裏面側に係合させる。
【００８８】
上記により組み立てられた操作体１０を、操作体本体４０の裏面側に形成された係止凸部４０ｅをスイッチ本体２の係止凹部２ａに係合させる。
【００８９】
この作業は、表示体２０が凹部３１ａ内に収納され、さらに表示部３２ａの突条３２ｂの先端で表示部の表面を押え付けて支持されているので、操作体を如何なる方向に向けても凹部内からずれて位置ずれしたり落下するようなことはなく、表示体のずれを気にすることなく行える。
【００９０】
これにより、「居間」の文字が表示された配線器具１が所定の壁面に設置される。なお、操作体４０は、保護シート４０ｄで保護された状態で設置される。
【００９１】
設置後も、表示体２０は、上記のように表示体保持部材３０の凹部３０ａ内に確実に支持されているので、長期の使用にわたっても位置ずれしたり落下することはない。
【００９２】
また、表示体２０の交換は、従来のように操作体１０をスイッチ本体２から取り外すことなく、操作体本体４０の凹部４０ａから表示体保持部材３０を外して行えばよい。
【００９３】
また、玄関の入口等で、単独でスイッチが設置される場所には表示体無しの配線器具を設置する。
【００９４】
この場合、操作体１０´から蓋体３０´を外すことなく、そのまま上記表示体付き配線器具１の設置手順に従って所定の壁面に設置すればよい。
【００９５】
以上、本実施例によれば、操作体１０は、従来のように表示体の位置ずれ防止のための溝など、表示体を設置するための格別な構成を有していないため、表示体付の操作体本体４０は、表示体無しの操作体本体としても使用することができ、同一の金型で構成可能な共通の部品となすことができ金型数の削減を行うことができる。
【００９６】
また、表示体２０は、保持部材３１の凹部３１ａ内に嵌め込み、保持部材３１とカバー部材３２を折りたたみ、操作体本体４０の凹部４０ａに嵌め込むだけで取り付けることができ、施工が簡単になる。
【００９７】
また、表示体２０は、凹部３１ａ内に収納されて位置ずれしたり落下することなく保持されているので、保持部材３１とカバー部材３２を内側に折りたたむ作業は、表示体のずれを気にすることなく行うことができ施工が容易になる。
【００９８】
さらに、表示体２０は、凹部３１ａ内に収納され、保持部材３１とカバー部材３２で挟持して支持するようにしたので、表示体保持部材３０を、表示体２０の表示部と正対する方向または側方から操作体本体４０の凹部４０ａに取り付ける作業も、表示体のずれを気にすることなく行うことができ施工が容易になる。
【００９９】
さらに、表示体２０は、表示部３２ａの突条３２ｂの先端で表示部の表面を押え付けて確実に支持されるので、より一層施工が容易になる。
【０１００】
また、表示体２０の交換は、従来のように操作体１０をスイッチ本体２から取り外すことなく行えるのでより一層施工が容易になる。
【０１０１】
上記のように、表示体２０は確実に支持されているので、配線器具を壁面等に垂直に設置しても長期にわたり位置ずれしたり落下することがない。
【０１０２】
以上、本実施例において、表示体２０を「居間」などの文字が印刷された紙から切り抜いて構成したが、白紙に記入する形式でも、さらには、所定の大きさにミシン目によって複数のネームカードが切り取り可能な専用の用紙で構成してもよい。
【０１０３】
表示体の材質は、紙に限らず薄いプラスチック板で構成しても裏面が粘着面となっている粘着テープ式であってもよい。
【０１０４】
また、パソコンなどワープロソフトにおいて設定する文字ピッチや行ピッチに応じてミシン目内に文字や記号を印刷することができるようにしてもよい。
【０１０５】
ワープロソフトに限らず、専用の印字ソフトをインターネットからダウンロードできるようにしても、専用の用紙に印字ソフトを記録させたＦＤやＣＤ等を付属させるようにしてもよい。
【０１０６】
表示体２０を保持する表示体保持部材３０は、透明で柔軟性を有するポリエチレンで構成したが、全体を乳白色または青、緑、赤等の色で半透明に着色し、表示体が薄く透けて見えるように構成してもよい。
【０１０７】
この場合、表示体保持部材３０自体が着色された半透明の状態であり、表示体が無い場合でも外観意匠的に見劣りすることなくそのまま使用することが可能となる。
【０１０８】
これによって、表示体無しの操作体を構成するための蓋体３０´を別途に作成することなく、着色半透明の表示体保持部材３０を表示体付き操作体と表示体無しの操作体に共通して用いることができ、蓋体３０´を作成するための金型が不要となって金型数をさらに削減することが可能となる。
【０１０９】
表示体保持部材３０は、保持部材３１とカバー部材３２を別個に構成し、別体のヒンジ部で連結して構成してもよい。
【０１１０】
カバー部材３２は、透明なポリエチレンで構成し、表示体を透過して表示する表示部３２ａを一体に形成したが、表示部のみを透明または半透明、さらにはくり抜いた開口部となし、他の部分は不透明に構成してもよい。
【０１１１】
本実施例では、スイッチ本体２が１個の配線器具を構成したが、２個、さらに３個のスイッチ本体を有する配線器具を構成してもよい。
【０１１２】
この場合、表示体保持部材３０は、スイッチ本体の個数に応じて形成される化粧プレート４上のスペースに対応させた、例えば「Ｌ．Ｍ．Ｓ」各サイズのものを用意する。
【実施例２】
【０１１３】
本実施例は、表示体保持部材３０を操作体本体４０と略同形状に構成し、表示体２０を表示体保持部材３０と操作体本体４０との間で挟持して支持すると共に、表示体保持部材または操作体本体の少なくとも一方に表示体の抜け止め用のストッパーを設けたものである。
【０１１４】
以下、図５〜図１０に従って説明する。なお、各図には実施例１と同一部分には同一符号を付し詳細な説明は省略する。
【０１１５】
図５〜図６に示すように、操作体１０は、表示体２０、表示体を保持する表示体保持部材３０、表示体保持部材を支持する操作体本体４０で構成する。
【０１１６】
表示体保持部材３０は、電気絶縁性および耐熱性を有するアクリル樹脂等の透明なプラスチックで、操作体本体４０と略同形状の平板状に形成する。
【０１１７】
表示体保持部材３０は、平板の一端（図５中上端）の裏面側に、端部が開放した凹部３１ａを一体に形成する。
【０１１８】
凹部３１ａは、開放した端部から短冊状の小片をなす表示体２０を差し込み嵌め込んで保持する矩形状の形状と深さ寸法を有し、表示体２０の位置ずれ防止手段を構成する。
【０１１９】
表示体保持部材３０は、平板の一端（図５中上端）、すなわち凹部３１ａに対応した位置に、表示体を透過して表示するための、くり抜いた窓孔からなる表示部３２ａを一体に形成する。
【０１２０】
表示部３２ａの窓孔は、凹部３１ａに表示体を差し込み嵌め込んだ際に、窓孔から表示体２０が落下しない程度の寸法の矩形状の孔で構成する。窓孔には透明または半透明のプラスチックやガラスからなる透光体を嵌め込んでもよい。
【０１２１】
上記に構成された表示体保持部材３０は、操作体本体４０に対して取外し可能に支持される。
【０１２２】
すなわち、表示体保持部材３０は、裏面の４隅に各１本ずつ計４本の係止片３０ｇを、さらに係止片の先端に鍵状をなす係止部３０ｈそれぞれ一体に形成する。
【０１２３】
操作体本体４０は、実施例１と同様に、電気絶縁性および耐熱性を有するＡＢＳ樹脂等のプラスチックで構成され、配線器具を構成する枠状をなす化粧プレートの開口部４ａに、枠内一杯に配置されるワイドで縦長矩形状をなす大きさに形成する。
【０１２４】
操作体本体４０は、端部に表示体保持部材３０の凹部３１ａの開放した端部を塞ぐストッパー４０ｓを一体に形成する。（図６（ｃ））
さらに、表示体保持部材３０の４本の係止片３０ｇ、および鍵状をなす係止部３０ｈに、それぞれ対応した位置の４隅に、１個ずつ計４個の係止孔４０ｇをそれぞれ貫通して形成する。
【０１２５】
係止孔４０ｇは、図７に拡大して示すように、表面から貫通する孔に連続してＬ字形の係止部４０ｈと、さらに連続して断面三角形状をなす係止部４０ｉを一体に形成する。
【０１２６】
上記構成の係止孔４０ｇにより、表示体保持部材３０の４本の係止片３０ｇを操作体本体４０の４個の係止孔４０ｇにそれぞれ挿入すると、図７（ａ）に示すように、鍵状をなす係止部３０ｈが断面三角形状をなす係止部４０ｉの下面側の傾斜部分に係合する。
【０１２７】
これにより、操作体本体４０の表面が表示体保持部材３０によって覆われた状態で両者が連結され、同時に凹部３１ａの開放した端部がストッパー４０ｓにより塞がれる。
【０１２８】
また、連結を外す場合には、表示体保持部材３０を指の爪などで押し上げれば、下面側の傾斜部分に係合していた鍵状をなす係止部３０ｈが三角形状係止部４０ｉの頂点を越えてＬ字形の係止部４０ｈに係合する。（図７（ｂ））
なお、鍵状をなす係止部３０ｈは、断面三角形状をなす係止部４０ｉの下面側の傾斜部分に単に係合しているのみであり、指などによる小さな力で係合を解除することができる。
【０１２９】
これにより、操作体本体４０の表面と表示体保持部材３０の裏面側との間に隙間ｓが形成され、ストッパー４０ｓにより塞がれていた凹部３１ａが開放される。（図６（ｃ））
この隙間ｓが形成され、凹部３１ａが開放された状態で、表示体保持部材３０の凹部３１ａに対し、開放した端部から短冊状の表示体２０を差し込んで嵌め込み、表示体保持部材３０と操作体本体４０を指でカチッと音がするまで挟み込む。（図６（ｄ））
これにより、図７（ａ）に示すように、鍵状をなす係止部３０ｈが断面三角形状をなす係止部４０ｉの下面側の傾斜部分に係合して両者が連結されて操作体１０が構成され、位置ずれ防止手段である凹部３１ａにより位置決めされた表示体２０が、表示体保持部材３０と操作体本体４０との間で挟持されて支持される。
【０１３０】
同時に、凹部３１ａの開放した端部がストッパー４０ｓにより塞がれるので、表示体２０の落下が防止される。
【０１３１】
また、表示体２０の交換は、従来のように操作体１０をスイッチ本体２から取り外すことなく、上記と同様にして行う。
【０１３２】
上記により、表示体保持部材３０は、操作体本体４０の表面を支持部として取外し可能に支持される。
【０１３３】
上記に構成された操作体１０は、実施例１と同様にして裏面側に形成された係止凸部４０ｅをスイッチ本体２の係止凹部２ａに係合させることにより、操作体１０がスイッチ本体２に対して着脱自在に取り付けられる。
【０１３４】
この作業は、表示体２０が凹部３１ａ内に収納され、さらに表示体保持部材３０と操作体本体４０との間で挟持して支持されているので、操作体１０を如何なる方向に向けても凹部内から位置ずれしたり落下するようなことはなく、表示体のずれを気にすることなく行える。
【０１３５】
図中４０ｄは、表示体保持部材３０の表面全体に貼付された透明な保護シートである。
【０１３６】
以上、本実施例によれば、表示体保持部材３０は、操作体本体４０と略同形状の平板状に形成したので、操作体本体４０の表面が表示体保持部材３０によって覆われワイドで縦長矩形状をなす外観意匠的に操作面がすっきりした操作のし易い操作体が構成される。
【０１３７】
表示体２０は、表示体保持部材３０の位置ずれ防止手段である凹部３１ａにより位置決めされ、かつ表示体保持部材３０と操作体本体との間で挟持して支持され、位置ずれしたり落下することなく確実に取り付けられる。
【０１３８】
また、表示体保持部材３０の凹部３１ａの開放した端部がストッパー４０ｓにより塞がれるので、表示体２０の落下が防止され、表示体をより一層確実に取り付けることができる。  
【０１３９】
表示体保持部材３０と操作体本体４０との結合は、鍵状をなす係止部３０ｈが断面三角形状をなす係止部４０ｉの下面側の傾斜部分に単に係合しているのみであり、指の爪など、小さな力で係合を解除することができ、格別の工具を使用する必要がないので施工も容易になる。
【０１４０】
表示体保持部材３０は、操作体本体４０と略同形状に形成したので、保護シート４０ｄを表面全体に貼付することができ、かつ表示体の取り付け・交換等の際に剥がすことなくそのまま使用することができ、施工時における器具の保護機能を十分に果たすことができる。
【０１４１】
以上、本実施例において、表示体２０を表示体保持部材３０の平板の上端に取り付けるようにしたが、左端または右端、さらには下端に取り付けるようにしてもよい。（図５（ｂ）中破線で表示）
特に、表示体２０を表示体保持部材３０の下端に取り付けた場合に、凹部３１ａを塞ぐストッパー４０ｓが表示体２０の落下を効果的に防止する。
【０１４２】
表示体保持部材３０は、アクリル樹脂等の透明なプラスチックで、平板状に形成したが、不透明なプラスチックで構成してもよい。
【０１４３】
表示体保持部材３０は、実施例１に示すと同様に、透明で柔軟性を有するポリエチレンで、操作体本体４０と略同形状の保持部材とカバー部材を形成し、両者を折りたたんで表示体保持部材３０を構成し、操作体本体４０と略同形状になるようにしてもよい。
【０１４４】
凹部３１ａの開放した端部を塞ぐストッパー４０ｓを操作体本体４０に一体に形成したが、図６（ｅ）に示すように表示体保持部材３０に一体に形成してもよい。さらに、操作体本体４０と表示体保持部材３０の両方に一体に形成してもよい。また、ストッパー４０ｓは、操作体本体４０や表示体保持部材３０と別体の部材で構成してもよい。
【０１４５】
また、表示体保持部材３０は、操作体本体４０から取り外すことなく、両者の間に隙間ｓを形成する手段で操作体本体４０の表面を支持部として取外し可能に支持したが、表示体保持部材３０を操作体本体４０から取り外すことができるように構成してもよい。
【０１４６】
すなわち、図８に拡大して示すように、隙間ｓを形成するためのＬ字形の係止部４０ｈをなくし、貫通する孔に連続して断面三角形状をなす係止部４０ｉのみを一体に形成する。
【０１４７】
これにより、図８（ｂ）に示すように、表示体保持部材３０を指の爪などで押し上げれば、下面側の傾斜部分に係合していた鍵状をなす係止部３０ｈが三角形状係止部４０ｉの頂点を越え、Ｌ字形の係止部４０ｈに係合することなく引き抜かれ、表示体保持部材３０を操作体本体４０から完全に分離することができる。
【０１４８】
また、図９に示すように、表示体保持部材３０と操作体本体４０を角部において軸ｘで支持し、この軸を中心に表示体保持部材３０回動させ、表示体２０を差し込んで嵌め込むためのスペースを確保し、差し込んだ後で元の状態に回動させるようにしてもよい。
【０１４９】
また、表示体２０の位置ずれ防止手段である凹部３１ａを表示体保持部材３０に一体に形成したが、表示体保持部材とは別体に構成してもよい。
【０１５０】
すなわち、図１０に示すように、アクリル樹脂等の透明なプラスチックで位置ずれ防止手段となるケース体５０を構成し、ケース体には表示体２０を収納する収納部５０ａおよび係止凸部５０ｂを一体に形成する。
【０１５１】
さらに、表示体保持部材３０には、係止凸部５０ｂが係合する凹部３１ａ´を平板の一端（図５中右側端）の裏面側に一体に形成する。
【０１５２】
これにより、図１０（ａ）、（ｂ）に示すように、上記により表示体保持部材３０と操作体本体４０の間に形成された隙間ｓにケース体５０を側方から挿入し、表示体保持部材３０と操作体本体４０を指でカチッと音がするまで挟み込み、鍵状をなす係止部３０ｈを断面三角形状の係止部４０ｉの下面側の傾斜部分に係合して連結する。（図７（ａ））
これにより、図１０（ｃ）に示すように、位置ずれ防止手段を構成するケース体５０の係合凸部５０ｂが、表示体保持部材３０の凹部３１ａ´に嵌合して係合される。
【０１５３】
同時に表示体２０を設けたケース体５０が、表示体保持部材３０と操作体本体４０との間で挟持されて支持される。
【０１５４】
これにより、表示体２０は、表示部３２ａから透過して見えると共に、表示体保持部材３０と別体に構成された位置ずれ防止手段であるケース体５０により位置決めされ、かつ表示体保持部材３０と操作体本体との間で挟持して支持され、位置ずれしたり落下することなく確実に取り付けられる。
【０１５５】
また、ケース体５０の係合凸部５０ｂが、表示体保持部材３０の凹部３１ａ´に嵌合して係合されるので、ケース体５０の落下が防止され、表示体をより一層確実に取り付けることができる。
【０１５６】
その他、本実施例における他の構成、作動、作用効果、変形例等は、実施例１と同様である。
【０１５７】
以上、本発明の好適な実施形態を説明したが、本発明は上述の各実施例に限定されることなく、本発明の要旨を逸脱しない範囲内において、種々の設計変更を行うことができる。
【図面の簡単な説明】
【０１５８】
【図１】本発明の第一実施形態における配線器具の斜視図。
【図２】同じく配線器具の一部を断面した側面図。
【図３】同じく操作体の組み立て状態を示す図で、（ａ）は表示体保持部材を開いた状態の斜視図、（ｂ）は表示体保持部材を閉じた状態の斜視図、（ｃ）は操作体本体の斜視図、（ｄ）は（ｃ）のＡ−Ａ線に沿う断面図、（ｅ）は蓋体の斜視図。
【図４】同じく操作体を示す図で、（ａ）は表示体付き操作体の斜視図、（ｂ）は表示体無しの操作体の斜視図。
【図５】本発明の第二実施形態における操作体を示す図で、（ａ）は裏面図、（ｂ）は正面図、（ｃ）は側面図。
【図６】同じく操作体を示す図で、（ａ）は図５（ｂ）のＢ−Ｂ線に沿う断面図、（ｂ）は（ａ）に示す状態から表示体保持部材を取外した状態を示す断面図、（ｃ）は図５（ｂ）のＣ−Ｃ線に沿う断面図で表示体を挿入する状態を示す図、（ｄ）は表示体を挿入し挟持した状態を示す図、（ｅ）は（ｄ）に相当する変形例の断面図。
【図７】同じく操作体の一部を示す図で、（ａ）は図６（ａ）のＡ部を拡大して示す断面図、（ｂ）は図６（ｂ）のＢ部を拡大して示す断面図。
【図８】同じく操作体の変形例を示す図で、（ａ）は図７（ａ）に相当する変形例の断面図、（ｂ）は図７（ｂ）に相当する変形例の断面図。
【図９】同じく操作体の変形例を示す図で、表示体保持部材を回動した状態を示す正面図。
【図１０】同じく操作体の変形例を示す図で、（ａ）は位置ずれ防止手段を挿入する状態を示す要部の斜視図、（ｂ）は位置ずれ防止手段を挿入した状態を示す要部の断面図、（ｃ）は位置ずれ防止手段を挟持した状態を示す要部の断面図。
【符号の説明】
【０１５９】
１    配線器具
１０  操作体
２０  表示体
３０  表示体保持部材
３１  保持部材
３１ａ位置ずれ防止手段
３２  カバー部材
３２ａ表示部
４０  操作体本体
４０ａ支持部
【図１】
2008235077.tif 000003
【図２】
2008235077.tif 000004
【図３】
2008235077.tif 000005
【図４】
2008235077.tif 000006
【図５】
2008235077.tif 000007
【図６】
2008235077.tif 000008
【図７】
2008235077.tif 000009
【図８】
2008235077.tif 000010
【図９】
2008235077.tif 000011
【図１０】
2008235077.tif 000012